(57)【要約】【課題】本発明は、所定の印刷情報に対して関連付けられた管理符号を形成する管理符号形成方法および管理符号形成システムに関し、形成される個別情報と管理符号とを確実に関連付けた形態で当該管理符号を形成対象物の意匠を損なわずに形成させることを可能とすると共に、後に目視確認を容易可能とすることを目的とする。【解決手段】個別毎に異なる印刷情報および関連する個別対象毎の管理符号１６Ａが同一工程で形成された被印刷体１６に対し、当該管理符号１６Ａを含む部分を撮像カメラ１３により撮像させることで、レーザ加工処理手段１５において管理符号１６Ａの形態および形成位置を認識し、当該被印刷体１６上の管理符号１６Ａに対してその形態に沿ってレーザ照射手段１２によりレーザ光を照射してハーフカットさせることで当該管理符号１６Ａを目視困難とさせる構成とする。【選択図】  図１
2004174927.tif 000002
【特許請求の範囲】
【請求項１】
個別毎に異なる印刷情報および関連する個別対象毎の管理符号が同一工程で形成された被印刷体に対し、少なくとも当該管理符号を含む部分を撮像させるステップと、
前記撮像された撮像データに基づいて前記管理符号の形態および形成位置を認識させるステップと、
前記管理符号の認識データに基づいて、前記被印刷体上の管理符号に対し、その形態に沿ってレーザ光を照射してハーフカットさせることで当該管理符号を目視困難とさせるステップと、
を含むことを特徴とする管理符号形成方法。
【請求項２】
請求項１記載の管理符号形成方法であって、前記撮像データに基づいて認識する前記管理符号の形態は、当該管理符号の実体的形状、またはフォント若しくはフォントに対応する文字コードで特定される印刷データの形状であることを特徴とする管理符号形成方法。
【請求項３】
個別毎に異なる印刷情報および関連する個別対象毎の管理符号が同一工程で形成された被印刷体と、
少なくとも前記管理符号を含む部分を撮像する撮像手段と、
前記被印刷体に対し、レーザ光を照射することでハーフカット加工を行うレーザ照射手段と、
前記撮像された撮像データに基づいて前記管理符号の形態および形成位置を認識した認識データにより、前記被印刷体上の管理符号に対し、その形態に沿ってレーザ光を照射させてハーフカットさせることで当該管理符号を目視困難とさせる処理を制御するレーザ加工処理手段と、
を有することを特徴とする管理符号形成システム。
【請求項４】
請求項３記載の管理符号形成システムであって、前記レーザ加工処理手段による前記撮像データに基づいて認識する前記管理符号の形態は、当該管理符号の実体的形状、またはフォント若しくはフォントに対応する文字コードで特定される印刷データの形状であることを特徴とする管理符号形成システム。
【発明の詳細な説明】
【０００１】
【発明の属する技術分野】
本発明は、所定の印刷情報に対して関連付けられた管理符号を形成する管理符号形成方法および管理符号形成システムに関する。
【０００２】
【従来の技術】
従来、例えば帳票の作製においては顧客毎に印刷情報の異なる帳票を一連の印刷工程で行うようになってきている。その際、対象顧客と印刷情報とのマッチングを図るために当該帳票上の所定位置にバーコードや管理番号等の管理符号を印刷し、当該印刷された管理符号と情報とを読み取り、顧客名と印刷情報とが関連付けられたデータベース（ＤＢ）より対象のものを読み出して比較照合することが一般的に行われている。また、顧客毎に個別の印刷データを表裏印刷する場合において、表面に管理符号を付してそれを読み取って関連付けら得た裏面印刷することも行われている。さらに、複数の帳票を顧客毎に綴じ合わせたり、まとめ折りしたりすることで丁合する場合にも、丁合対象のマッチングを図るためにそれぞれの帳票に管理符号を予め印刷しておくことも行われている。
【０００３】
一方、上記管理符号は、顧客にとっては本来不要なもので、帳票作製時や丁合時のみ必要なものである。そこで、このような管理符号を、不可視であり、所定波長の励起光を照射すると目視可能となるいわゆるステルスインキで印刷する技術が、以下の特許文献等で知られている。
【０００４】
【特許文献１】
特開２００１−１８８７０号公報
【０００５】
【発明が解決しようとする課題】
しかしながら、上記ステルスインキによる管理符号の形成は、印刷情報の印刷とは別工程の印刷手段で形成されることから、同期タイミングのずれや、ジョブの切り替わり時のデータずれ等により、印刷情報と関連付けられていない管理符号が付される場合があるという問題がある。また、付された管理符号を後に目視で確認したい場合があり、上記ステルスインキによって付された管理符号ではブラックライト等の器具を用いなければならず、容易に目視確認を行うことができないという問題がある。
【０００６】
そこで、本発明は上記課題に鑑みなされたもので、形成される個別情報と管理符号とを確実に関連付けた形態で当該管理符号を形成対象物の意匠を損なわずに形成させることを可能とすると共に、後に目視確認を容易可能とする管理符号形成方法および管理符号形成システムを提供することを目的とする。
【０００７】
【課題を解決するための手段】
上記課題を解決するために、請求項１の発明では、個別毎に異なる印刷情報および関連する個別対象毎の管理符号が同一工程で形成された被印刷体に対し、少なくとも当該管理符号を含む部分を撮像させるステップと、前記撮像された撮像データに基づいて前記管理符号の形態および形成位置を認識させるステップと、前記管理符号の認識データに基づいて、前記被印刷体上の管理符号に対し、その形態に沿ってレーザ光を照射してハーフカットさせることで当該管理符号を目視困難とさせるステップと、を含む構成とする。
【０００８】
請求項２の発明では、前記撮像データに基づいて認識する前記管理符号の形態は、当該管理符号の実体的形状、またはフォント若しくはフォントに対応する文字コードで特定される印刷データの形状とする構成である。
【０００９】
請求項３の発明では、個別毎に異なる印刷情報および関連する個別対象毎の管理符号が同一工程で形成された被印刷体と、少なくとも前記管理符号を含む部分を撮像する撮像手段と、前記被印刷体に対し、レーザ光を照射することでハーフカット加工を行うレーザ照射手段と、前記撮像された撮像データに基づいて前記管理符号の形態および形成位置を認識した認識データにより、前記被印刷体上の管理符号に対し、その形態に沿ってレーザ光を照射させてハーフカットさせることで当該管理符号を目視困難とさせる処理を制御するレーザ加工処理手段と、を有する構成とする。
【００１０】
請求項４の発明では、前記レーザ加工処理手段による前記撮像データに基づいて認識する前記管理符号の形態は、当該管理符号の実体的形状、またはフォント若しくはフォントに対応する文字コードで特定される印刷データの形状とする構成である。
【００１１】
このように、個別毎に異なる印刷情報および関連する個別対象毎の管理符号が同一工程で形成された被印刷体に対し、当該管理符号を含む部分を撮像させてその形態および形成位置を認識し、当該被印刷体上の管理符号に対してその形態に沿ってレーザ光を照射してハーフカット加工させることで当該管理符号を目視困難とさせる。すなわち、被印刷体は印刷情報と管理符号とが同一工程で形成されることからこれらがアンマッチングを生じることがなく確実に関連付けることが可能であり、また、この管理符号をレーザ光によるハーフカットで目視困難に加工することから対象物の意匠を損なわずに形成させることが可能になると共に、ハーフカット加工であることから後に器具等を使用せずに目視確認を容易とすることが可能となるものである。
【００１２】
【発明の実施の形態】
以下、本発明の好ましい実施形態を図により説明する。
図１に、本発明に係る管理符号形成システムの構成図を示す。図１において、管理符号形成システム１１は、レーザ照射手段１２、撮像手段である撮像カメラ１３およびレーザ加工処理手段１５を適宜備える。そして、個別毎に異なる印刷情報および関連する個別対象毎の管理符号（以下、「ＩＤ」と称す）１６Ａが同一工程で形成された被印刷体１６に対してレーザ加工を行う。
【００１３】
上記レーザ照射手段１２は、被印刷体１６に対してレーザ光を照射して加工するもので、当該被印刷体１６に対してハーフカットさせるための出力がレーザ加工処理手段１５により設定される。上記撮像カメラ１３は、例えば一般的に使用されているＣＣＤカメラが使用され、被印刷体１６に対して少なくともＩＤ１６Ａを含む部分を撮像する。
【００１４】
そして、上記レーザ加工処理手段１５は、撮像カメラ１３により撮像された撮像データに基づいてＩＤ１６Ａの形態および形成位置を認識した認識データにより、当該被印刷体１６上のＩＤ１６Ａに対し、その形態に沿ってレーザ光を照射させてハーフカットさせることで当該ＩＤ１６Ａを目視困難とさせる処理を制御するもので、適宜、制御手段２１、バス２２、インタフェース（ＩＦ）２３、撮像データ取得手段２４、ＩＤ認識手段２５、レーザ加工データ作成手段２６およびレーザ照射制御手段２７を備える。
【００１５】
上記制御手段２１は、当該システムの制御を統括するもので、そのためのプログラムが格納される。上記ＩＦ２３は、少なくともレーザ照射手段１２に対してレーザ照射の制御信号および撮像カメラ１３に対して撮像制御信号を出力すると共に、撮像カメラ１３より撮像データを入力する。上記撮像データ取得手段２４は、入力される上記撮像データを一旦格納しておくもので、適宜ＩＤ認識のための作業領域としての役割をもなす。
【００１６】
上記ＩＤ認識手段２５は、上記撮像データに基づいてＩＤ１６Ａの形態および形成位置を認識する処理を行う。ここで、ＩＤ１６Ａの形態とは、撮像したビットマップデータに即した実体的な形状であり、または当該ビットマップデータよりＯＣＲ処理して得られたフォント（統一的に定められた大きさと字体）、若しくは当該フォントに対応する文字コード（統一的に定められたフォント対応コードデータ）で特定される印刷データ（例えばビットマップデータ）の形状である。ここでは、例えばビットマップデータに即した実体的な形状としている。
【００１７】
上記レーザ加工データ作成手段２６は、認識されたＩＤ１６Ａの形態と形成位置に対応してレーザ照射の制御データを作成する。そして、レーザ照射制御手段２７は、レーザ照射手段１２によるハーフカット加工のための出力設定データおよび上記作成された制御データに基づいて当該レーザ照射手段１２に制御信号を出力する。
【００１８】
そこで、図２に図１の管理符号形成システムにおける管理符号形成処理のフローチャートを示すと共に、図３に図２に係る管理符号形成処理の説明図を示す。ここで、上記被印刷体１６は、図３（Ａ）に示すように、例えば用紙（上質紙）上に個別毎の異なる印刷情報が印刷形成されるものとして、例えば左上部分に顧客名１６Ｂと、略中央部分に当該顧客名に応じた請求金額等の対応情報１６Ｃが印刷情報として印刷形成され、右下部分に当該印刷情報のうちの例えば顧客名１６Ｂと関連付けられた管理符号としてのＩＤ（例えば「１２３４５６７８９０〜」）が上記印刷情報１６Ｂ，１６Ｃと同一工程で印刷形成されている。すなわち、当該印刷情報１６Ｂ，１６ＣとＩＤ１６Ａとは別工程ではなく、同一工程で同一の印刷データで印刷されることから確実に関連付けられた状態で形成されているものである。
【００１９】
図２において、まず、撮像カメラ１３により対象の被印刷体１６を撮像させ、その撮像データをレーザ加工処理手段１５の撮像データ取得手段２４に一旦記憶させる（ステップ（Ｓ）１）。レーザ加工処理手段１５では、ＩＤ認識手段２５が上記撮像データに基づいてＩＤ１６Ａの形態および形成位置を認識する（Ｓ２）。このＩＤ１６Ａの形成位置の認識は、例えば被印刷体１６の全体画像から予め定められた形成位置範囲より特定したり、また共通して使用されている文字（例えば（「様」の文字）を基準としてビットマップ上の位置を特定したりすることとしてもよいもので、適宜公知技術より選択的に適用できるものである。
【００２０】
認識されたＩＤ１６Ａは、レーザ加工データ作成手段２６において当該ＩＤ１６Ａの形態および形成位置に対応したレーザ照射の制御データが作成される（Ｓ３）。そして、レーザ照射制御手段２７において、被印刷体１６の用紙厚さに対してハーフカット加工させるためのレーザ照射の出力が設定され（Ｓ４）、上記の制御データに基づいて、当該設定された出力でレーザ照射手段１２よりレーザ照射させる。
【００２１】
すなわち、図３（Ａ）に示すように、被印刷体１６上に印刷形成されているＩＤ１６Ａの印刷フォント上をなぞるようにレーザ照射手段１２よりハーフカットする出力でレーザ光１２Ｌを照射させることで当該ＩＤ１６Ａのインキ部分を削取する（Ｓ５）。その一例として、図３（Ｂ）に示されるように、例えばＩＤ１６Ａの「１」の文字をなぞらせて当該部分をハーフカット加工させるもので、ＩＤ１６Ａの他の文字においても同様にハーフカット加工するものである。
【００２２】
すなわち、当初、被印刷体１６には目視可能にＩＤ１６Ａが印刷形成され、これをなぞるようにレーザ加工することで目視困難なＩＤ１６Ａの形成状態となるものである。また、ハーフカットであることから、下方から光を当てることでその透過量が他の部分と異なることから目視可能であり、また光の反射加減で微かに陰影部分を視認することができるものである。
【００２３】
このように、被印刷体１６は印刷情報１６Ｂ，１６ＣとＩＤ１６Ａとが同一工程で形成されることからこれらがアンマッチングを生じることがなく確実に関連付けさせることができ、また、このＩＤ１６Ａをレーザ光によるハーフカットで目視困難に加工することから被印刷体１６の意匠を損なわずに形成させることができると共に、ハーフカット加工であることから後に、器具等を使用せずに目視確認を容易とすることができるものである。
【００２４】
次に、図４に、本発明に係る管理符号形成システムが適用される印刷システムのブロック構成図を示す。図４において、印刷システム３１は、上述のレーザ照射手段１２および撮像カメラ１３の他に、第１印刷手段３２、第２印刷手段３３、印刷処理手段３４および印刷ＤＢ３５を適宜備える。第１印刷手段３２は、印刷対象としての被印刷体（後述の被印刷連続体５１）の表面に個別対象毎の印刷情報１６Ｂ，１６Ｃとこれに関連されたＩＤ１６Ａを、後述の印刷ＤＢ３５に格納されている印刷データに基づいて印刷を行う。また、第２印刷手段３３は、上記印刷データ基づいて当該被印刷体の裏面に、表面に印刷されたＩＤ１６Ａに関連付けられる個別対象者の情報の印刷を行う。
【００２５】
上記印刷ＤＢ３５は、一例として総ての印刷対象者（例えば請求書発行の顧客）に関して、当該顧客に付されたＩＤ、顧客名、印刷データファイル（ファイル名）が格納されると共に、当該印刷データファイルに対応した印刷データ（例えば表面用の第１印刷データ、裏面用の第２印刷データ等）が例えば別個に、または階層的に格納されるものである。
【００２６】
上記印刷処理手段３４は、上述のレーザ加工処理手段１５を備え、制御手段４１、バス４２、ＩＦ４３、印刷データ取得手段４４、印刷ファイル作成手段４５、第１印刷制御手段４６および第２印刷制御手段４７を適宜備える。なお、レーザ加工処理手段１５は、図１と同様であり、説明を省略する。
【００２７】
上記制御手段４１は、この印刷システム３１を統括的に制御するもので、そのためのプログラムを格納する。上記ＩＦ４３は、第１および第２印刷手段３２，３３、レーザ照射手段１２および撮像カメラ１３に対して駆動制御信号を送出すると共に、撮像カメラ１３からの撮像データを入力し、また印刷ＤＢ３５より読み出した所定の印刷に関するデータを入力する。上記印刷データ取得手段４４は、被印刷体（後述の被印刷連続体５１）の表面の印刷データを所定のタイミングにしたがって印刷ＤＢ３５より取得すると共に、レーザ加工処理手段１５において認識されたＩＤ１６Ａに基づいて裏面に印刷する対応の印刷データを印刷ＤＢ３５より取得する。
【００２８】
上記印刷ファイル作成手段４５は、上記印刷データ取得手段４４により印刷ＤＢ３５から取得した印刷データに基づいて印刷のための印刷ファイルを作成する。上記第１印刷制御手段４６は、第１印刷手段３２を駆動制御するもので、印刷ファイル作成手段４５で作成された印刷ファイルに基づいて印刷手段対応の方式による印刷データを送出する。そして、第２印刷制御手段４７は、第２印刷手段３３を駆動制御するもので、印刷ファイル作成手段４５で作成された印刷ファイルに基づいて印刷手段対応の方式による印刷データを送出するものである。
【００２９】
そこで、図５に図４に係る印刷システムの動作フローチャートを示すと共に、図６に図５に係るシステム動作の説明図を示す。ここで、被印刷体を図６（Ａ）、（Ｂ）に示すように、連続の被印刷連続体５１としている。この被印刷連続体５１は、搬送手段に応じたマージナル部５１Ａ，５１Ｂがミシン目線等により分離自在に設けられ、対応の顧客毎に断裁させるための断裁線５２が形成される。この断裁線５２で区分けされる領域の表裏に、それぞれの顧客毎に対応する印刷情報が印刷されされるものである。そして、所定の処理工程の後に、これら断裁線５２で断裁されることで図３（Ａ）に示すような被印刷体１６となるものである。
【００３０】
図５において、まず、印刷処理手段３４の印刷データ取得手段４４が上記被印刷連続体５１の一方面（表面）に印刷する第１印刷データを印刷ＤＢ３５より取得し、印刷ファイル作成手段４５が、取得した第１印刷データに基づいて第１の印刷ファイルを作成して第１印刷手段３２に送出し、図６（Ａ）に示すように第１印刷手段３２により当該被印刷連続体５１の一方面（表面）上に上記顧客名１６Ｂおよび対応情報１６Ｃの印刷情報と共に、一体的にＩＤ１６Ａを順次印刷させる（Ｓ１１）。
【００３１】
続いて、図６（Ｂ）に示すように、レーザ加工処理手段１５が撮像カメラ１３により対象の被印刷連続体５１の表面を撮像させ、その撮像データを撮像データ取得手段２４に一旦記憶し、ＩＤ認識手段２５が上記撮像データに基づいてＩＤ１６Ａの形態および形成位置を認識する（Ｓ１２）。上記印刷データ取得手段４４が認識されたＩＤ１６Ａにより印刷ＤＢ３５から他方面（裏面）用の第２印刷データを取得し（Ｓ１３）、印刷ファイル作成手段４５が印刷ファイルを作成して第２印刷手段３３に送出することにより、当該被印刷連続体５１の裏面に表面に対応した印刷情報を印刷させる（Ｓ１４）。
【００３２】
一方、レーザ加工処理手段１５では、レーザ加工データ作成手段２６において認識されたＩＤ１６Ａの形態および形成位置に対応したレーザ照射の制御データが作成される（Ｓ１５）。そこで、レーザ照射制御手段２７において、被印刷体１６の用紙厚さに対してハーフカット加工させるためのレーザ照射の出力が設定され（Ｓ１６）、上記の制御データに基づいて、当該設定された出力でレーザ照射手段１２よりＩＤ１６Ａ部分にレーザ照射させる。
【００３３】
そして、被印刷連続体５１の表面上に印刷形成されているＩＤ１６Ａの印刷フォント上をなぞるようにレーザ照射手段１２よりハーフカットする出力でレーザ光１２Ｌを照射させることにより当該ＩＤ１６Ａのインキ部分を削取するもので、目視困難なＩＤ１６Ｄとさせるものである（Ｓ１７）。
【００３４】
このように、上記印刷システム３１において、被印刷連続体５１の表面に所定の印刷情報１６Ｂ，１６ＣとＩＤ１６Ａとを同一工程で印刷形成させることからこれらの関連付けが確実であり、裏面の印刷情報を当該認識したＩＤ１６Ｂに基づいて印刷ＤＢ３５より取得して印刷することから、表面の印刷情報と裏面の印刷情報との関連付けを確実とさせて印刷品質を向上させることができるものである。また、表裏印刷後には、レーザ加工により目視困難なＩＤ１６Ａの形成状態とさせることで意匠を損なわせずに被印刷体を作製することができ、一方で、ハーフカット加工により、後に器具等を使用せずに、容易に目視確認することができるものである。
【００３５】
次に、図７に、本発明に係る管理符号形成システムが適用される丁合システムの概略構成図を示す。図７に示す丁合システム６１は、例えば製本システムや封入封緘システムに適用されるものとして示している。図７において、丁合システム６１は、第１丁合体供給手段６２、第２丁合体供給手段６３、搬送手段６４および丁合処理手段６６を適宜備る。
【００３６】
また、例えば搬送手段６４であって、後述の第１丁合体が供給される位置の上方に第１レーザ照射手段１２Ａおよび第１撮像カメラ１３Ａが配置され、第２丁合体供給手段６３上であって、後述の第２丁合体が供給される位置の上方に第２レーザ照射手段１２Ｂおよび第２撮像カメラ１３Ｂが配置され、後述の第３丁合体が供給される位置の上方に第３レーザ照射手段１２Ｃおよび第３撮像カメラ１３Ｃが配置される。
【００３７】
上記第１丁合体供給手段６２は、例えば３種類の丁合体を丁合するものとしてそれぞれ枚葉の第１〜第３丁合体６８Ａ〜６８Ｃが所定数ずつ積み重ねられる。これら第１〜第３丁合体６８Ａ〜６８Ｃには、それぞれ個別対応の第１〜第３ＩＤ６９Ａ〜６９Ｃが対応の印刷情報と関連付けられて同一工程で形成され、各丁合対象の各丁合体には同一のＩＤが形成されもので、これらが丁合順に積み重ねられる。
【００３８】
すなわち、第１丁合体供給手段６２より、第１丁合体６８Ａが第２丁合体供給手段６３を介して搬送手段６４に供給され、当該第１丁合体６８Ａが第２丁合体６８Ｂの丁合位置に搬送される。第２丁合体６８Ｂは、第１丁合体供給手段６２より第２丁合体供給手段６３を介して搬送手段６４上の第１丁合体６８Ａ上に丁合されるように供給され、第１および第２丁合体６８Ａ，６８Ｂは第３丁合体６８Ｃの丁合位置に搬送される。そして、第３丁合体６８Ｃが、第１丁合体供給手段６２より第２丁合体供給手段６３を介して搬送手段６４上の第１および第２丁合体６８Ａ，６８Ｂ上に丁合されるように供給されることで丁合体群６８とされ、所定位置に搬送されるものである。
【００３９】
ここで、図８に、図７における丁合処理手段のブロック構成図を示す。図８において、丁合処理手段６６は、上述のレーザ加工処理手段１５を備え、例えばホストコンピュータの顧客ＤＢ７１とアクセス自在（内部に含む構成としてもよい）であり、適宜、制御手段８１、バス８２、ＩＦ８３、丁合データ取得手段８４、照合手段８５、搬送制御手段８６および丁合体供給制御手段８７を備える。ここで、顧客ＤＢ７１は、例えば上述の印刷ＤＢ３５と同様な顧客名、ＩＤ、印刷データファイル（ファイル名）が別個に、または階層的に格納されるものである。なお、レーザ加工処理手段１５は、図１と同様であり、説明を省略する。
【００４０】
上記制御手段６６は、この丁合システム６１の制御を統括するもので、そのためのプログラムを格納している。上記ＩＦ８３は、上記第１および第２丁合体供給手段６２，６３、各レーザ照射手段１２および各撮像カメラ１３に対して駆動制御信号を送出すると共に、各撮像カメラ１３からの撮像データを入力し、また顧客ＤＢ７１より読み出した丁合データを入力する。上記丁合データ取得手段８４は、顧客ＤＢ７１より読み出した少なくとも丁合データを一旦格納するもので、例えば後述の照合手段８５により照合処理の作業領域としての役割をもなす。
【００４１】
上記照合手段８５は、丁合時に各第１〜第３撮像カメラ１３Ａ〜１３Ｃで撮像させて認識した各第１〜第３ＩＤ６９Ａ〜６９Ｃが丁合対象として一致しているか否かを比較照合する。上記搬送制御手段８６は、搬送手段６４の搬送を制御する駆動制御信号を生成して出力する。そして、丁合体供給制御手段８７は、上記第１および第２丁合体供給手段６２，６３の丁合体供給を制御する駆動制御信号を生成して出力するものである。
【００４２】
そこで、図９に、図８における丁合処理のフローチャートを示す。図９において、まず、それぞれ個別の印刷情報および第１〜第３ＩＤ６９Ａ〜６９Ｃが同一工程で印刷されている所定数の丁合体６８Ａ〜６８Ｃが丁合順に第１丁合体供給手段６２にセットされ、丁合データ取得手段８４が顧客ＤＢ７１より各丁合体６８Ａ〜６８Ｃの丁合データを取得する（Ｓ２１）。第１丁合体供給手段６２より、第１丁合体６８Ａが第２丁合体供給手段６３を介して搬送手段６４に供給され、レーザ加工処理手段１５において第１撮像カメラ１３Ａにより撮像した撮像データに基づいて第１ＩＤ６９Ａの形態および形成位置を認識し、取得した丁合データで確認した後、第１レーザ照射手段１２Ａにより当該第１ＩＤ６９Ａ上をレーザ加工して目視困難な第１ＩＤ７０Ａとして第２丁合体６８Ｂの丁合位置に搬送させる（Ｓ２２）。
【００４３】
第１丁合体供給６２からは、第２丁合体６８Ｂが第２丁合体供給手段６３上に供給され、ここでレーザ加工処理手段１５において第２撮像カメラ１３Ｂにより撮像させて第２ＩＤ６９Ｂの形態および形成位置を認識した後、照合手段８５が上記認識した第１丁合体６８Ａの第１ＩＤ６９Ａと当該第２ＩＤ６９Ｂを比較照合する（Ｓ２３）。照合の結果（Ｓ２４）、一致していれば当該第２丁合体６８Ｂに対し、レーザ加工処理手段１５で作成されたレーザ加工データに基づいて第２ＩＤ６９Ｂ上を第２レーザ照射手段１２Ｂによりレーザ加工させて目視困難な第２ＩＤ７０Ｂとして搬送手段６４上の第１丁合体６８Ａ上に供給して丁合させ、当該第１および第２丁合体６８Ａ，６８Ｂを第３丁合体６８Ｃの丁合位置に搬送させる（Ｓ２５）。
【００４４】
第１丁合体供給６２からは、第３丁合体６８Ｃが第２丁合体供給手段６３上に供給され、ここでレーザ加工処理手段１５において第３撮像カメラ１３Ｃにより撮像させて第３ＩＤ６９Ｃの形態および形成位置を認識した後、照合手段８５が上記認識した第１丁合体６８Ａの第１ＩＤ６９Ａと当該第３ＩＤ６９Ｃを比較照合する（Ｓ２６）。照合の結果（Ｓ２７）、一致していれば当該第３丁合体６８Ｃに対し、レーザ加工処理手段１５で作成されたレーザ加工データに基づいて第３ＩＤ６９Ｃ上を第３レーザ照射手段１２Ｃによりレーザ加工させて目視困難な第３ＩＤ７０Ｃとして搬送手段６４上の第１および第２丁合体６８Ａ，６８Ｃ上に供給して丁合させて丁合体群６８とし、当該丁合体群６８を所定位置に搬送させるものである（Ｓ２８）。
【００４５】
一方、Ｓ２４およびＳ２７において、照合手段８５による比較照合の結果、一致しなければその時点でシステムの各駆動機構に停止信号を出力し、適宜警告を発生させて終了するものである（Ｓ２９）。
【００４６】
このように、上記丁合システム６１において、各第１〜第３丁合体６８Ａ〜６８Ｃには、それぞれ所定の印刷情報と第１〜第３ＩＤ６９Ａ〜６９Ｃとを同一工程で印刷形成させることからこれらの関連付けが確実であり、当該第１〜第３ＩＤ６９Ａ〜６９Ｃで丁合させることから各第１〜第３丁合体６８Ａ〜６８Ｃ間の丁合を確実とさせることができるものである。また、各第１〜第３ＩＤ６９Ａ〜６９Ｃの認識後には、レーザ加工により目視困難な第１〜第３ＩＤ７０Ａ〜７０Ｃの形成状態とさせることで意匠を損なわない丁合体群６８を作製することができ、一方で、ハーフカット加工により、後に器具等を使用せずに、容易に目視確認することができるものである。
【００４７】
【発明の効果】
以上のように、本発明によれば、個別毎に異なる印刷情報および関連する個別対象毎の管理符号が同一工程で形成された被印刷体に対し、当該管理符号を含む部分を撮像させてその形態および形成位置を認識し、当該被印刷体上の管理符号に対してその形態に沿ってレーザ光を照射してハーフカット加工させることで当該管理符号を目視困難とさせる構成とすることにより、印刷情報と管理符号とを確実に関連付けることができ、当該管理符号を対象物の意匠を損なわずに形成させることができると共に、後に目視確認を容易とすることができるものである。
【図面の簡単な説明】
【図１】本発明に係る管理符号形成システムの構成図である。
【図２】図１の管理符号形成システムにおける管理符号形成処理のフローチャートである。
【図３】図２に係る管理符号形成処理の説明図である。
【図４】本発明に係る管理符号形成システムが適用される印刷システムのブロック構成図である。
【図５】図４に係る印刷システムの動作フローチャートである。
【図６】図５に係るシステム動作の説明図である。
【図７】本発明に係る管理符号形成システムが適用される丁合システムの概略構成図である。
【図８】図７における丁合処理手段のブロック構成図である。
【図９】図８における丁合処理のフローチャートである。
【符号の説明】
１１              管理符号形成システム
１２              レーザ照射手段
１３              撮像カメラ
１５              レーザ加工処理手段
１６              被印刷体
１６Ａ，６９      ＩＤ（管理符号）
３１              印刷システム
３２              第１印刷手段
３３              第２印刷手段
３４              印刷処理手段
３５              印刷データベース（ＤＢ）
５１              被印刷連続体
６１              丁合システム
６２              第１丁合体供給手段
６３              第２丁合体供給手段
６４              搬送手段
６６              丁合処理手段
６８              丁合体
【図１】
2004174927.tif 000003
【図２】
2004174927.tif 000004
【図３】
2004174927.tif 000005
【図４】
2004174927.tif 000006
【図５】
2004174927.tif 000007
【図６】
2004174927.tif 000008
【図７】
2004174927.tif 000009
【図８】
2004174927.tif 000010
【図９】
2004174927.tif 000011